(57)【要約】【課題】光学素子を効果的に冷却できるプロジェクターを提供する。【解決手段】プロジェクター１は、冷却流体により光学素子３６１を冷却する冷却装置を備える。冷却装置は、冷却流体を吐出し、光学素子３６１の表面に沿ってレイノルズ数が３０００００以上となる流速で流通させる吐出手段を備える。そして、光学素子３６１の表面に沿って流通する冷却流体に乱流を生じさせ、当該冷却流体により光学素子３６１を冷却する。【選択図】図６
2012198401.tif 000002
【特許請求の範囲】
【請求項１】
冷却流体により光学素子を冷却する冷却装置を備えたプロジェクターであって、
前記冷却装置は、
前記冷却流体を吐出し、前記光学素子の表面に沿ってレイノルズ数が３０００００以上となる流速で流通させる吐出手段を備える
ことを特徴とするプロジェクター。
【請求項２】
請求項１に記載のプロジェクターにおいて、
前記冷却流体は、空気である
ことを特徴とするプロジェクター。
【請求項３】
請求項１または請求項２に記載のプロジェクターにおいて、
当該プロジェクターは、
光束を透過させる透光性基板を備え、
前記冷却装置は、
枠状の光学素子保持部を備え、
前記光学素子保持部の内部には、
前記透光性基板及び前記光学素子が互いに隙間を空けた状態で収納され、前記透光性基板及び前記光学素子との間で所定の空間が形成され、
前記光学素子保持部には、
前記空間の外部と前記空間とを連通する２つの連通部が形成され、
前記吐出手段から吐出された前記冷却流体は、
前記連通部を介して前記空間に流入される
ことを特徴とするプロジェクター。
【請求項４】
請求項３に記載のプロジェクターにおいて、
前記冷却装置は、
内部に前記冷却流体を流通可能とする複数の流体循環部材を備え、
前記複数の流体循環部材は、
前記吐出手段及び前記２つの連通部間に接続され、前記冷却流体を前記吐出手段から前記光学素子保持部を介して再度、前記吐出手段に戻す環状の流路を形成する
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネルや偏光板等の光学素子を冷却する冷却装置を備えた構成が知られている（例えば、特許文献１参照）。
特許文献１に記載の冷却装置は、一対のシロッコファンと、一対のシロッコファンから吐出された空気を光学素子の下方側に導くダクトとを備える。
そして、一対のシロッコファンから吐出された空気は、ダクトを介して、下方側から上方側に向けて光学素子の表面に沿って流通し、当該光学素子を冷却する。
【先行技術文献】
【特許文献】
【０００３】
【特許文献１】特開２００３−１２１９３１号公報
【発明の概要】
【発明が解決しようとする課題】
【０００４】
しかしながら、特許文献１に記載の冷却装置では、ダクトから光学素子に向うまでに空気の流速が低下し、当該流速の低い空気が光学素子の表面に沿って流通する恐れがある。
光学素子の表面に沿って流通する空気の流速が低い場合には、当該空気は、所謂、層流（乱れを含まない流れ）の状態で光学素子の表面に沿って流通する。
また、光学素子の表面には、空気の粘性の影響により、所謂、速度境界層（流体の流速の変化が激しい薄い層の領域（表面で流速がゼロ））が存在する。
そして、上記のように層流の状態で光学素子の表面に沿って空気が流通した場合には、光学素子の表面の速度境界層により、流通する空気と光学素子との間で熱交換が良好に行われないこととなる。
したがって、光学素子を効果的に冷却することが難しい、という問題がある。
【０００５】
本発明の目的は、光学素子を効果的に冷却できるプロジェクターを提供することにある。
【課題を解決するための手段】
【０００６】
本発明のプロジェクターは、冷却流体により光学素子を冷却する冷却装置を備えたプロジェクターであって、前記冷却装置は、前記冷却流体を吐出し、前記光学素子の表面に沿ってレイノルズ数が３０００００以上となる流速で流通させる吐出手段を備えることを特徴とする。
ここで、冷却流体とは、空気に限らず、液体等も含むものである。
【０００７】
ところで、平板表面に沿って冷却流体を流通させる場合、当該冷却流体の流速をレイノルズ数が３０００００以上となる流速に設定すると、当該冷却流体は、所謂、乱流（乱れを含む流れ）の状態で平板表面に沿って流通する。
本発明では、冷却装置は、上述した吐出手段を備える。言い換えれば、吐出手段は、冷却流体を吐出し、乱流の状態で光学素子の表面に沿って流通させる。
そして、光学素子の表面に沿って乱流の状態で冷却流体が流通した場合には、光学素子の表面に存在する速度境界層を破壊する、あるいは、速度境界層を薄くすることができる。
すなわち、光学素子の表面の速度境界層を破壊する、あるいは、速度境界層を薄くすることで、流通する空気と光学素子との間で熱交換を良好に行わせることができ、光学素子を効果的に冷却できる。
【０００８】
本発明のプロジェクターでは、前記冷却流体は、空気であることが好ましい。
ところで、空気は、液体に比較して、動粘性係数が小さいものである。
そして、例えば、レイノルズ数が３０００００となる流速として、冷却流体の動粘性係数が小さい場合（冷却流体が空気の場合）と、大きい場合（冷却流体が液体の場合）とを比較した場合、動粘性係数が小さい場合の方が大きい場合よりも低い流速となる。すなわち、空気は、液体に比較して、流速が低くても乱流となり易いものである。
また、冷却流体の動粘性係数が小さい場合の方が大きい場合よりも、光学素子の表面に存在する速度境界層が薄くなるものである。
したがって、冷却流体として液体を利用する場合と比較して、光学素子の表面に沿って流通させる空気の流速を低くしても乱流を生じさせることができ、かつ、速度境界層を薄くして流通する空気と光学素子との熱交換を良好に行わせることができる。
すなわち、吐出手段（ポンプあるいはファン）としてそれほど性能の高い装置を必要としない。
【０００９】
本発明のプロジェクターでは、当該プロジェクターは、光束を透過させる透光性基板を備え、前記冷却装置は、枠状の光学素子保持部を備え、前記光学素子保持部の内部には、前記透光性基板及び前記光学素子が互いに隙間を空けた状態で収納され、前記透光性基板及び前記光学素子との間で所定の空間が形成され、前記光学素子保持部には、前記空間の外部と前記空間とを連通する２つの連通部が形成され、前記吐出手段から吐出された前記冷却流体は、前記連通部を介して前記空間に流入されることが好ましい。
【００１０】
本発明では、吐出手段からの冷却流体は、連通部を介して、上述したように透光性基板及び光学素子が収納されることで光学素子保持部内部に形成される空間に流入される。
このことにより、透光性基板及び光学素子の隙間を小さくすることで、空間の流路断面積を小さくすることができ、吐出手段の性能をそれほど高くしなくても、光学素子の表面に沿って流通する冷却流体（空間に流入した冷却流体）の流速を高くすることができる。
【００１１】
本発明のプロジェクターでは、前記冷却装置は、内部に前記冷却流体を流通可能とする複数の流体循環部材を備え、前記複数の流体循環部材は、前記吐出手段及び前記２つの連通部間に接続され、前記冷却流体を前記吐出手段から前記光学素子保持部を介して再度、前記吐出手段に戻す環状の流路を形成することが好ましい。
本発明では、複数の流体循環部材にて吐出手段及び光学素子保持部の２つの連通部が接続されることで環状の流路が形成され、冷却流体は、環状の流路に沿って循環する。
このことにより、冷却流体を略密閉された環状の流路に沿って循環させることができ、外部から塵埃等が冷却流体に混入し、光学素子の表面に付着する等の不具合を防止できる。したがって、良好な画質の投影画像を表示することができる。
【図面の簡単な説明】
【００１２】
【図１】本実施形態におけるプロジェクターの概略構成を示す図。
【図２】本実施形態における冷却装置の構成を模式的に示す図。
【図３】本実施形態における光学素子保持部の構造を示す図。
【図４】本実施形態における光学素子保持部の構造を示す図。
【図５】本実施形態における光学素子保持部の構造を示す図。
【図６】本実施形態における空気の流通状態を模式的に示す図。
【発明を実施するための形態】
【００１３】
以下、本発明の実施の一形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３及び冷却装置４（図２参照）を備える。
【００１４】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、３つの入射側偏光板３５と、３つの光変調装置３６と、３つの出射側偏光板３７と、色合成光学装置としてのクロスダイクロイックプリズム３８と、投射光学装置としての投射レンズ３９とを備える。
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各光変調装置３６にてそれぞれ変調される。変調された各色光は、プリズム３８にて合成されて画像となり、投射レンズ３９にてスクリーンに投射される。
【００１５】
〔冷却装置の構成〕
図２は、冷却装置４の構成を模式的に示す図である。
冷却装置４は、環状の流路Ｃ（図２）に沿って冷却流体を循環させ、当該冷却流体により光変調装置３６を冷却する。
本実施形態では、冷却流体として、空気を利用している。
そして、冷却装置４は、図２に示すように、光学素子保持部としての３つの光学素子保持部５と、ラジエーター６と、吐出手段としての流体吐出装置７と、複数の流体循環部材８とを備える。
複数の流体循環部材８は、内部に空気を流通可能とする管状部材で構成され、各部材５〜７を接続し、環状の流路Ｃを形成する。
なお、流体循環部材８による各部材５〜７の接続構造については、後述する。
【００１６】
〔光学素子保持部の構成〕
図３ないし図５は、光学素子保持部５の構造を示す図である。具体的に、図３は、光学素子保持部５を光入射側から見た斜視図である。図４は、図３のIV-IV線の断面図である。図５は、図３のV-V線の断面図である。
先ず、光学素子保持部５の構成を説明する前に、光変調装置３６の構成について説明する。なお、各光変調装置３６は、同様の構成であり、以下では１つの光変調装置３６のみを説明する。
光変調装置３６は、図４または図５に示すように、光学素子としての液晶パネル３６１と、透光性基板としての入射側防塵ガラスＣｒ１と、出射側防塵ガラスＣｒ２とを備える。
【００１７】
液晶パネル３６１は、図４または図５に示すように、ガラス等からなる一対の基板３６１Ａ，３６１Ｂに電気光学物質である液晶が密閉封入された構成を有している。
一対の基板３６１Ａ，３６１Ｂのうち、一方の基板３６１Ａは、液晶を駆動するための駆動基板であり、具体的な図示は省略したが、複数のデータ線と、複数の走査線と、走査線及びデータ線の交差に対応して形成された画素電極と、ＴＦＴ(Thin Film Transistor)等のスイッチング素子とを有している。
また、他方の基板３６１Ｂは、駆動基板３６１Ａに対して所定間隔を空けて対向配置される対向基板であり、具体的な図示は省略したが、所定の電圧Ｖcomが印加される共通電極を有している。
そして、駆動基板３６１Ａは、図４または図５に示すように、対向基板３６１Ｂの外形形状よりも大きい外形形状となるように形成されている。
【００１８】
入射側防塵ガラスＣｒ１は、水晶等の熱伝導性の高い透光性材料から構成され、対向基板３６１Ｂと略同一の外形形状を有し、対向基板３６１Ｂに対して光入射側に配設される。
出射側防塵ガラスＣｒ２は、入射側防塵ガラスＣｒ１と同様の材料から構成され、駆動基板３６１Ａの外形形状と略同一の外形形状を有し、駆動基板３６１Ａの外面（光出射側の端面）に貼り付けられている。
【００１９】
３つの光学素子保持部５は、３つの光変調装置３６をそれぞれ保持するとともに、内部に空気が流入出し、当該空気により３つの光変調装置３６（液晶パネル３６１）をそれぞれ冷却する。なお、各光学素子保持部５は、同様の構成であり、以下では１つの光学素子保持部５のみを説明する。
この光学素子保持部５は、図３ないし図５に示すように、光変調装置３６が内部に収納される矩形枠形状を有する。
【００２０】
具体的に、光学素子保持部５において、光出射面には、図４または図５に示すように、駆動基板３６１Ａの外形形状に対応した第１凹部５１が形成されている。
また、第１凹部５１の底部分には、対向基板３６１Ｂの外形形状に対応した第２凹部５２が形成されている。
さらに、第２凹部５２の底部分には、液晶パネル３６１の画像形成領域に対応して、光学素子保持部５の光入射面に貫通した開口部５３が形成されている。
以上のように、光学素子保持部５は、各凹部５１，５２及び開口部５３により光変調装置３６に入射する光束の光軸に沿って貫通する枠状に形成されている。
【００２１】
そして、入射側防塵ガラスＣｒ１は、光学素子保持部５の光出射側から、光学素子保持部５内部に挿入され、図４または図５に示すように、光入射面が第２凹部５２の底部分に当接した状態で、光学素子保持部５内部に収納される。
また、液晶パネル３６１は、出射側防塵ガラスＣｒ２が貼り付けられた状態で、光学素子保持部５の光出射側から、光学素子保持部５内部に挿入される。そして、液晶パネル３６１は、図４または図５に示すように、駆動基板３６１Ａが第１凹部５１の底部分に当接した状態で、光学素子保持部５内部に収納される。
【００２２】
以上のように、光学素子保持部５内部に光変調装置３６が収納された状態では、図４または図５に示すように、入射側防塵ガラスＣｒ１と、対向基板３６１Ｂとの間に隙間が形成された状態となる。
すなわち、光学素子保持部５内部には、当該隙間により、第２凹部５２の側壁、入射側防塵ガラスＣｒ１、及び対向基板３６１Ｂの間で所定の空間Ａｒが形成される。
本実施形態では、各凹部５１，５２の深さ寸法や、入射側防塵ガラスＣｒ１及び対向基板３６１Ｂの厚み寸法を適宜、設定することで、入射側防塵ガラスＣｒ１と対向基板３６１Ｂ間の離間寸法は、１ｍｍ以下に設定されている。
【００２３】
また、光学素子保持部５において、下方側の端部における左右方向の略中央部分の位置には、図３または図４に示すように、下方側に向けて突出する連通部としての流入部５４が形成されている。
流入部５４は、図４または図５に示すように、光学素子保持部５外部と第２凹部５２とを連通する部分であり、光学素子保持部５内部に光変調装置３６が収納された状態では、光学素子保持部５外部と空間Ａｒとを連通する。
さらに、光学素子保持部５において、上方側の端部における左右方向の略中央部分の位置には、図３または図４に示すように、流入部５４と同様の連通部としての流出部５５が形成されている。
【００２４】
〔ラジエーターの構成〕
ラジエーター６は、環状の流路Ｃに沿って循環する空気の熱を放熱する部分である。
このラジエーター６は、具体的な図示は省略したが、複数回、折れ曲がって蛇行するように形成された管状部材と、当該管状部材が貫通され、当該管状部材と熱伝達可能に接続する複数のフィン状部材とで構成されている。
すなわち、管状部材内部を空気が流通する際に、当該空気の熱が管状部材及び複数のフィン状部材を介して外部に放熱される。
【００２５】
〔流体吐出装置の構成〕
流体吐出装置７は、ポンプやファン等で構成され、空気を吸入及び吐出し、環状の流路Ｃに沿って空気を循環させる部分である。
具体的には、後述するが、流体吐出装置７は、光学素子保持部５内部の空間Ａｒに流入した空気が乱流の状態で空間Ａｒを流通するように、空気を吸入及び吐出する。
【００２６】
〔流体循環部材による接続構造〕
次に、流体循環部材８による各部材５〜７の接続構造について説明する。
なお、以下では、説明の便宜上、図２に示すように、３つの光学素子保持部５のうち、Ｒ色光側の光変調装置３６を保持する光学素子保持部をＲ側光学素子保持部５Ｒ、Ｇ色光側の光変調装置３６を保持する光学素子保持部をＧ側光学素子保持部５Ｇ、Ｂ色光側の光変調装置３６を保持する光学素子保持部をＢ側光学素子保持部５Ｂとする。
流体循環部材８は、図２に示すように、第１〜第５流体循環部材８Ａ〜８Ｅの５本で構成されている。
【００２７】
具体的に、第１流体循環部材８Ａは、流入側が流体吐出装置７の吐出側に接続され、流出側がラジエーター６の前記管状部材の一端に接続される。
第２流体循環部材８Ｂは、流入側がラジエーター６の前記管状部材の他端に接続され、流出側がＲ側光学素子保持部５Ｒの流入部５４に接続される。
第３流体循環部材８Ｃは、流入側がＲ側光学素子保持部５Ｒの流出部５５に接続され、流出側がＧ側光学素子保持部５Ｇの流入部５４に接続される。
第４流体循環部材８Ｄは、流入側がＧ側光学素子保持部５Ｇの流出部５５に接続され、流出側がＢ側光学素子保持部５Ｂの流入部５４に接続される。
第５流体循環部材８Ｅは、流入側がＢ側光学素子保持部５Ｂの流出部５５に接続され、流出側が流体吐出装置７の吸入側に接続される。
【００２８】
以上のような流体循環部材８による接続構造により、図２に示すように、流体吐出装置７〜ラジエーター６〜Ｒ側光学素子保持部５Ｒ（流入部５４〜空間Ａｒ〜流出部５５）〜Ｇ側光学素子保持部５Ｇ（流入部５４〜空間Ａｒ〜流出部５５）〜Ｂ側光学素子保持部５Ｂ（流入部５４〜空間Ａｒ〜流出部５５）を辿り、再度、流体吐出装置７に戻る環状の流路Ｃが形成される。
【００２９】
図６は、空間Ａｒに流入した空気の流通状態を模式的に示す図である。
ここで、空間Ａｒに流入した空気に乱流が生じる条件は、以下に示すように定義される。
すなわち、流体の流速をｕ、代表長さをＬ、動粘性係数をνとした場合、以下の式（１）で示されるレイノルズ数Ｒｅが３０００００以上となると、流体の流通状態が層流から乱流に遷移することが知られている。
【００３０】
〔数１〕  
2012198401.tif 000003
【００３１】
なお、本実施形態では、式（１）において、代表長さＬは、図６に示すように、空間Ａｒにおける空気の流れ方向の長さ（流入位置（流入部５４）から流出位置（流出部５５）までの長さ（対向基板３６１Ｂの縦方向の長さ））を意味する。
また、本実施形態では、流体として空気を利用しているため、式（１）において、動粘性係数νは、空気の動粘性係数である。
そして、本実施形態では、流体吐出装置７は、空間Ａｒに流入した空気の流速ｕが、式（１）において、レイノルズ数Ｒｅが３０００００以上となる流速ｕとなるように空気を吐出する。
したがって、空間Ａｒに流入した空気は、図６に矢印で示すように、空間Ａｒにおいて、層流ではなく乱流の状態で入射側防塵ガラスＣｒ１及び対向基板３６１Ｂの表面に沿って流通することとなる。
【００３２】
上述した実施形態によれば、以下の効果がある。
本実施形態では、冷却装置４を構成する流体吐出装置７は、空気を吐出し、乱流の状態で液晶パネル３６１（対向基板３６１Ｂ）の表面に沿って流通させる。
そして、液晶パネル３６１の表面に沿って乱流の状態で空気が流通した場合には、液晶パネル３６１の表面に存在する速度境界層を破壊する、あるいは、速度境界層を薄くすることができる。
すなわち、液晶パネル３６１の表面の速度境界層を破壊する、あるいは、速度境界層を薄くすることで、流通する空気と液晶パネル３６１との間で熱交換を良好に行わせることができ、液晶パネル３６１を効果的に冷却できる。
【００３３】
また、本実施形態では、冷却流体として、液体に比較して、動粘性係数が小さいため流速が低くても乱流となり易く、液晶パネル３６１の表面に存在する速度境界層が薄くなる空気を利用している。
このことから、冷却流体として液体を利用する場合と比較して、液晶パネル３６１の表面に沿って流通させる空気の流速を低くしても乱流を生じさせることができ、かつ、速度境界層を薄くして流通する空気と液晶パネル３６１との熱交換を良好に行わせることができる。
したがって、流体吐出装置７としてそれほど性能の高い装置を必要としない。
【００３４】
さらに、光学素子保持部５内部には、入射側防塵ガラスＣｒ１及び対向基板３６１Ｂが互いに隙間を有した状態で収納されることで空間Ａｒが形成される。そして、流体吐出装置７からの空気は、流入部５４を介して空間Ａｒに流入される。
このことにより、入射側防塵ガラスＣｒ１及び対向基板３６１Ｂの隙間を小さくすることで、空間Ａｒの流路断面積を小さくすることができ、流体吐出装置７の性能をそれほど高くしなくても、液晶パネル３６１の表面に沿って流通する空気（空間Ａｒに流入した空気）の流速を高くすることができる。
【００３５】
また、流入部５４が光学素子保持部５の下方側の端部における左右方向の略中心位置に設けられているので、流入部５４を介して空間Ａｒに流入した空気を、空間Ａｒ全体に亘って流通させることができ、液晶パネル３６１の冷却効率を向上させることができる。
さらに、５本の流体循環部材８により環状の流路Ｃが形成され、空気は、環状の流路Ｃに沿って循環する。
このことにより、液晶パネル３６１を冷却するための空気を略密閉された環状の流路Ｃに沿って循環させることができ、外部から塵埃等が当該空気に混入し、入射側防塵ガラスＣｒ１や対向基板３６１Ｂの表面に付着する等の不具合を防止できる。
したがって、良好な画質の投影画像を表示することができる。
【００３６】
なお、本発明は前述の実施形態に限定されるものではなく、本発明の目的を達成できる範囲での変形、改良等は本発明に含まれるものである。
前記実施形態では、冷却流体として空気を利用していたが、これに限らず、水やエチレングリコール等の液体を冷却流体として利用しても構わない。
前記実施形態では、略密閉された環状の流路Ｃに沿って空気を流通させていたが、これに限らず、第５流体循環部材８Ｅを省略した構成や、空間Ａｒを形成せずに流体吐出装置７から直接、液晶パネル３６１の表面に向けて空気を送風する構成等を採用しても構わない。
【００３７】
前記実施形態では、本発明に係る透光性基板として入射側防塵ガラスＣｒ１を採用し、当該入射側防塵ガラスＣｒ１を利用して光学素子保持部５内部に空間Ａｒを形成していたが、これに限らない。
例えば、本発明に係る透光性基板として入射側偏光板３５を採用し、当該入射側偏光板３５を利用して光学素子保持部５内部に空間Ａｒを形成しても構わない。
前記実施形態において、冷却対象として液晶パネル３６１を採用していたが、これに限らず、偏光変換素子３２３、入射側偏光板３５、出射側偏光板３７等の他の光学素子を冷却対象としても構わない。
前記実施形態において、流入部５４及び流出部５５の形成位置は、前記実施形態で説明した形成位置に限らず、その他の位置に形成しても構わない。
【００３８】
前記実施形態において、冷却装置４を構成する各部材５〜７の配設順序は、前記実施形態で説明した順序に限らず、その他の順序で配設しても構わない。
前記実施形態では、液晶パネル３６１は、３つ設けられていたが、その数は３つに限らず、１つ、２つ、あるいは、４つ以上であっても構わない。
前記実施形態において、光変調装置としては、透過型または反射型の液晶パネルの他、マイクロミラーを用いたデバイス等、液晶以外の光変調装置を採用しても構わない。
前記実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００３９】
本発明は、プレゼンテーションやホームシアターに用いられるプロジェクターに利用できる。
【符号の説明】
【００４０】
１・・・プロジェクター、４・・・冷却装置、５・・・光学素子保持部、７・・・流体吐出装置（吐出手段）、８・・・流体循環部材、５４・・・流入部（連通部）、５５・・・流出部（連通部）、３６１・・・液晶パネル（光学素子）、Ａｒ・・・空間、Ｃ・・・環状の流路、Ｃｒ１・・・入射側防塵ガラス（透光性基板）。
【図１】
2012198401.tif 000004
【図２】
2012198401.tif 000005
【図３】
2012198401.tif 000006
【図４】
2012198401.tif 000007
【図５】
2012198401.tif 000008
【図６】
2012198401.tif 000009